(57)【要約】【課題】原稿の前記主走査方向及び副走査方向の読取基準位置を決めるための第１基準部材を備えたものでありながら、コンパクトな画像読取装置を提供する。【解決手段】固定読取部における第１透過部材３１と搬送読取部における第２透過部材３２との副走査方向の間に、原稿における主走査方向に沿う辺縁が当接する枠体３９を有し、第１透過部材３１の原稿載置可能領域のうち、枠体３９に近い側での主走査方向と副走査方向との一方の交点が原稿の角部を合わせるための基準点４０に設定され、原稿非載置領域４２のうち、基準点４０から最も離間した対角位置に、第１基準部材４３が配置されている。【選択図】図３
2010263318.tif 000002
【特許請求の範囲】
【請求項１】
静止された原稿を載置する第１透過部材を有する原稿載置ケースと、前記第１透過部材の下面側にて前記原稿の画像を主走査方向に沿って読み取る一方、副走査方向に沿って移動可能な原稿読取手段と、前記原稿の前記主走査方向及び副走査方向の読取基準位置を決めるための第１基準部材とを少なくとも有してなる画像読取装置であって、
予め設定された複数のサイズの前記原稿が、その各所定個所を前記第１透過部材における予め定められた原稿合わせ位置に対して合わせた状態で、前記第１透過部材の原稿載置可能領域に載置されたとき、その原稿載置可能領域のうち当該原稿にて覆われることのない原稿非載置領域に、前記第１基準部材が配置されていることを特徴とする原稿読取装置。
【請求項２】
読み取る原稿を所定の搬送方向に自動的に搬送する自動原稿搬送装置と、前記搬送される原稿の画像を読み取る搬送読取部と、前記搬送読取部における第２透過部材とがさらに備えられ、
前記第１透過部材と第２透過部材との前記副走査方向の間の少なくとも上面には、前記原稿における前記主走査方向に沿う辺縁が当接する枠体を有していることを特徴とする請求項１に記載の画像読取装置。
【請求項３】
前記第１透過部材の原稿載置可能領域のうち、前記主走査方向と副走査方向との一方の交点が前記原稿の角部を合わせるための前記原稿合わせ位置に設定され、
前記原稿非載置領域のうち、前記原稿合わせ位置と対角の隅位置に前記第１基準部材が配置されていることを特徴とする請求項１または２に記載の画像読取装置。
【請求項４】
前記第１透過部材の原稿載置可能領域のうち、前記主走査方向の中央位置が、前記原稿における前記主走査方向に沿う辺縁の中央位置を合わせるための前記原稿合わせ位置に設定され、
前記原稿非載置領域のうち、前記原稿合わせ位置に対して前記主走査方向に離間した隅位置に前記第１基準部材が配置されていることを特徴とする請求項１または２に記載の画像読取装置。
【請求項５】
静止された原稿を載置する第１透過部材を有する原稿載置ケースと、読み取る原稿を所定の搬送方向に自動的に搬送する自動原稿搬送装置と、前記搬送される原稿の画像を読み取る搬送読取部と、前記第１透過部材の下面側にて前記原稿の画像を主走査方向に沿って読み取る一方、副走査方向に沿って移動可能であり、且つ前記搬送読取部における第２透過部材の下面に停止可能に構成された原稿読取手段と、前記原稿の前記主走査方向及び副走査方向の読取基準位置を決めるための第１基準部材とを少なくとも有してなる画像読取装置であって、
前記第１透過部材と第２透過部材との前記副走査方向の間の少なくとも上面には、前記原稿における前記主走査方向に沿う辺縁が当接する枠体を有し、
前記第１透過部材の原稿載置可能領域のうち、前記主走査方向と副走査方向との一方の交点が前記原稿の角部を合わせるための前記原稿合わせ位置に設定され、
前記枠体における下面のうち、前記原稿合わせ位置から主走査方向に最も離間した位置に、前記第１基準部材が配置されていることを特徴とする画像読取装置。
【請求項６】
前記枠体には、前記搬送される原稿を前記自動原稿搬送装置における排紙部側に案内するための掬い上げ案内部が設けられていることを特徴とする請求項２乃至５のいずれかに記載の画像読取装置。
【発明の詳細な説明】
【技術分野】
【０００１】
本発明は、原稿用紙の画像を読取ることができる読取手段を有する画像読取装置の構成に関するものである。
【背景技術】
【０００２】
静止原稿用紙のみならず、搬送される移動原稿用紙の画像記録面を読み取ることのできる画像読取装置が一般に知られている。以下、原稿用紙を単に原稿という。このような画像読取装置では、静止原稿の画像記録面を読み取る場合には、いわゆるフラットベッド(ＦＢ：Flat Bed)スキャナを用い、移動原稿の画像記録面を読み取る場合には、いわゆる自動原稿搬送装置（ＡＤＦ：Auto Document Feeder）を用いるのである。ＦＢスキャナは、装置本体に対して開閉可能な原稿押えカバー体と、面積の大きい透明ガラス板（固定読取部）とを備えている。そして、透明ガラス板の下面に沿ってＣＩＳ（Contact Image Sensor）等のイメージスキャナ（画像読取手段）が副走査方向に沿って移動しながら透明ガラス板上に載置されている静止原稿の画像記録面を読み取るのである。なお、ＣＩＳ等のイメージスキャナは、ＣＭＯＳ撮像素子と、レンズからなる光学素子と、ＲＧＢの発光ダイオードからなる光源とを備えている。そして、主走査方向（副走査方向と直交する方向）に沿って多数の撮像素子が一列状に並び、光源より原稿に光を照射したときの反射光を光学素子を介して撮像素子にて受光し、その画素ごとに反射光の光強度（明度）を電気信号に変換して出力するものである。
【０００３】
他方、ＡＤＦは、原稿押えカバー体の上面一側部位に備えられており、原稿押えカバー体上の一側部 (給紙トレイ）に堆積された複数枚の原稿を１枚ずつ分離しながら略Ｕターン形状の原稿搬送路に搬送する。そして、静止原稿用の透明ガラス板の一端部に隣接した搬送原稿用の透明ガラス板（搬送読取部）上に搬送された原稿は、この透明ガラス板の下方にて静止している上記の画像読取手段により画像記録面を読み取られた後、それに隣接する掬い上げガイド部材を経て排紙トレイ部に排出される（特許文献１、２及び３参照）。
【０００４】
ところで、イメージスキャナ（画像読取手段）の配光ムラや感度ムラを補正するため、白色及び黒色の基準部を有する基準部材に光を照射し、その反射光を読み込んで、読取データを補正する所謂シェーディング補正することが行なわれている（特許文献１及び３参照）。また、この基準部材における白色基準部と黒色基準部との境界線を利用して、ライン型のイメージスキャナの主走査方向及び副走査方向の読取基準位置を判別することも行なわれている（特許文献３参照）。
【０００５】
その場合、特許文献１及び２では、１枚の透明ガラス板の領域を、面積の大きい固定読取部と面積の小さい搬送読取部とを区画し、且つ固定読取部に載置される原稿の副走査方向の位置を決めるための位置決め部材若しくはＡＤＦでの排紙部に原稿を導くための掬い上げ案内部材を１枚の透明ガラス板の上面に貼り付けすることを利用して、当該透明ガラス板の上面と、上記位置決め部材または掬い上げ案内部材の下面との間に上記基準部材を両面接着テープなどにて貼着させている。なお、上記位置決め部材及び掬い上げ案内部材は主走査方向に沿って延設されるものである。
【０００６】
このような場合、画像読取装置のコンパクト化のため、上記位置決め部材または掬い上げ案内部材は、副走査方向に沿う幅寸法は必要以上に大きく形成しないから、上記基準部材の副走査方向に沿う幅寸法も短く（小さく）しなければならない。従って、特に、白色基準部と黒色基準部との副走査方向に沿ってのびる境界線が短くなり、この境界線をイメージスキャナにて読み取るときに誤差が生じやすいという問題があった。なお、掬い上げ案内部材の一部を固定読取部の透明ガラス板の端部と搬送読取部の透明ガラス板の端部との間に介在させ、その掬い上げ案内部材の下面に基準部材を貼着する場合も同じ問題が生じる。
【０００７】
他方、特許文献３では、本願の図１０に示すように、画像読取装置におけるケース１００の上面板１０１に形成された平面視矩形状の取付け開口部には、掬い上げガイド部材１０３を挟んで面積の大きい透明ガラス板（固定読取部）１０２と、面積の小さい搬送読取部の透明ガラス板１０４とが固定されている。
【０００８】
そして、図１０及び図１１に示すように、搬送読取部の透明ガラス板１０２を挟んで掬い上げガイド部材１０３に対して反対側であるケース１００の上面板１０１の下面には、基準部材１０５が設けられている。この基準部材１０５は、長方形の板状をなし、主走査方向に沿って細長く、且つイメージスキャナのラインの読取領域より若干大きい程度の長さを有している。また、基準部材１０５は、副走査方向に二分されており、一方は白基準部１０６で、他方が主走査位置基準部１０７とされている。白基準部１０６は、全域が均一な濃度の白色である。主走査位置基準部１０７は主走査方向の一端部が矩形状の黒色領域１０７ａで、残りの部分は白色領域１０７ｂに設定され、且つ黒色領域１０７ａと白色領域１０７ｂとが主走査方向に隣接して配置されている。
【０００９】
このような白色領域と黒領域を利用して、イメージスキャナによる主走査方向及び副走査方向読取基準位置（読取原点）を決めることができる。
【先行技術文献】
【特許文献】
【００１０】
【特許文献１】特開２００６−０６５２８９号公報（図２、図３及び図５参照）
【特許文献２】特開２００６−３１１２１９号公報（図２、図５及び図６参照）
【特許文献３】特開２００９−００５２８９号公報（図２及び図３参照）
【発明の概要】
【発明が解決しようとする課題】
【００１１】
しかしながら、特許文献３の構成によれば、上記基準部材の配置位置がケース１００の一側端部に位置しており、この基準部材における白色領域と黒領域とを読み取るためには、イメージスキャナをその下方まで移動させる必要がある。従って、ケース１００の副走査方向の寸法が大きくなり、画像読取装置をコンパクトに形成できないという問題があった。
【００１２】
本発明は、このような課題を解消し、コンパクトに形成できる画像読取装置を提供することを目的とするものである。
【課題を解決するための手段】
【００１３】
上記目的を達成するために、請求項１に記載の発明は、静止された原稿を載置する第１透過部材を有する原稿載置ケースと、前記第１透過部材の下面側にて前記原稿の画像を主走査方向に沿って読み取る一方、副走査方向に沿って移動可能な原稿読取手段と、前記原稿の前記主走査方向及び副走査方向の読取基準位置を決めるための第１基準部材とを少なくとも有してなる画像読取装置であって、予め設定された複数のサイズの前記原稿が、その各所定個所を前記第１透過部材における予め定められた原稿合わせ位置に対して合わせた状態で、前記第１透過部材の原稿載置可能領域に載置されたとき、その原稿載置可能領域のうち当該原稿にて覆われることのない原稿非載置領域に、前記第１基準部材が配置されているものである。
【００１４】
請求項２に記載の発明は、請求項１に記載の画像読取装置において、読み取る原稿を所定の搬送方向に自動的に搬送する自動原稿搬送装置と、前記搬送される原稿の画像を読み取る搬送読取部と、前記搬送読取部における第２透過部材とがさらに備えられ、前記第１透過部材と第２透過部材との前記副走査方向の間の少なくとも上面には、前記原稿における前記主走査方向に沿う辺縁が当接する枠体を有しているものである。
【００１５】
請求項３に記載の発明は、請求項１または２に記載の画像読取装置において、前記第１透過部材の原稿載置可能領域のうち、前記主走査方向と副走査方向との一方の交点が前記原稿の角部を合わせるための前記原稿合わせ位置に設定され、前記原稿非載置領域のうち、前記原稿合わせ位置と対角の隅位置に前記第１基準部材が配置されているものである。      
【００１６】
請求項４に記載の発明は、請求項１または２に記載の画像読取装置において、前記第１透過部材の原稿載置可能領域のうち、前記主走査方向の中央位置が、前記原稿における前記主走査方向に沿う辺縁の中央位置を合わせるための前記原稿合わせ位置に設定され、前記原稿非載置領域のうち、前記原稿合わせ位置に対して前記主走査方向に離間した隅位置に前記第１基準部材が配置されているものである。
【００１７】
請求項５に記載の発明は、静止された原稿を載置する第１透過部材を有する原稿載置ケースと、読み取る原稿を所定の搬送方向に自動的に搬送する自動原稿搬送装置と、前記搬送される原稿の画像を読み取る搬送読取部と、前記第１透過部材の下面側にて前記原稿の画像を主走査方向に沿って読み取る一方、副走査方向に沿って移動可能であり、且つ前記搬送読取部における第２透過部材の下面に停止可能に構成された原稿読取手段と、前記原稿の前記主走査方向及び副走査方向の読取基準位置を決めるための第１基準部材とを少なくとも有してなる画像読取装置であって、前記第１透過部材と第２透過部材との前記副走査方向の間の少なくとも上面には、前記原稿における前記主走査方向に沿う辺縁が当接する枠体を有し、前記第１透過部材の原稿載置可能領域のうち、前記主走査方向と副走査方向との一方の交点が前記原稿の角部を合わせるための前記原稿合わせ位置に設定され、前記枠体における下面のうち、前記原稿合わせ位置から主走査方向に最も離間した位置に、前記第１基準部材が配置されているものである。
【００１８】
請求項６に記載の発明は、請求項２乃至５のいずれかに記載の画像読取装置において、前記枠体には、前記搬送される原稿を前記自動原稿搬送装置における排紙部側に案内するための掬い上げ案内部が設けられているものである。
【発明の効果】
【００１９】
請求項１に記載の発明によれば、画像読取装置は、静止された原稿を載置する第１透過部材のみを有している。そして、予め設定された複数のサイズの原稿が、その各所定個所を前記第１透過部材における予め定められた原稿合わせ位置に対して合わせた状態で、前記第１透過部材の原稿載置可能領域に載置されたとき、その原稿載置可能領域のうち当該原稿にて覆われることのない原稿非載置領域に、前記第１基準部材が配置されているものであるので、原稿載置可能領域の外側に第１基準部材が配置されている場合に比べて、原稿読取手段の副走査方向の移動すべき範囲を短くすることができる。その結果、原稿載置ケースひいては画像読取装置をコンパクトにできるという効果を奏する。
【００２０】
請求項２に記載の発明によれば、読み取る原稿を所定の搬送方向に自動的に搬送する自動原稿搬送装置と、前記搬送される原稿の画像を読み取る搬送読取部と、前記搬送読取部における第２透過部材とがさらに備えられ、前記第１透過部材と第２透過部材との前記副走査方向の間の少なくとも上面には、前記原稿における前記主走査方向に沿う辺縁が当接する枠体を有しているものである。
【００２１】
このような構成であっても、請求項１の発明と同様に、原稿読取手段の副走査方向の移動すべき範囲を短くすることができる。その結果、原稿載置ケースひいては画像読取装置をコンパクトにできるという効果を奏する。
【００２２】
請求項３に記載の発明によれば、第１透過部材の原稿載置可能領域のうち、前記主走査方向と副走査方向との一方の交点が前記原稿の角部を合わせるための前記原稿合わせ位置に設定され、前記原稿非載置領域のうち、前記原稿合わせ位置と対角の隅位置に前記第１基準部材が配置されているものである。従って、前記原稿合わせ位置と対角の隅位置における原稿非載置領域の面積が比較的広くなり、この個所に第１基準部材が配置できるから、第１基準部材の面積も広くできる。その結果、原稿載置ケースひいては画像読取装置をコンパクトにできるものでありながら、原稿読取手段による前記主走査方向及び副走査方向の読取基準位置の判読精度を向上させることができる。
【００２３】
請求項４に記載の発明によれば、前記第１透過部材の原稿載置可能領域のうち、前記主走査方向の中央位置が、前記原稿における前記主走査方向に沿う辺縁の中央位置を合わせるための前記原稿合わせ位置に設定され、前記原稿非載置領域のうち、前記原稿合わせ位置に対して前記主走査方向に離間した隅位置に前記第１基準部材が配置されているものである。このように、原稿非載置領域のうちの２箇所に第１基準部材を配置することになるので、基準位置の読取精度が向上する。
【００２４】
請求項５に記載の発明によれば、静止された原稿を載置する第１透過部材を有する原稿載置ケースと、読み取る原稿を所定の搬送方向に自動的に搬送する自動原稿搬送装置と、前記搬送される原稿の画像を読み取る搬送読取部と、前記第１透過部材の下面側にて前記原稿の画像を主走査方向に沿って読み取る一方、副走査方向に沿って移動可能であり、且つ前記搬送読取部における第２透過部材の下面に停止可能に構成された原稿読取手段と、前記原稿の前記主走査方向及び副走査方向の読取基準位置を決めるための第１基準部材とを少なくとも有してなる画像読取装置であって、前記第１透過部材と第２透過部材との前記副走査方向の間の少なくとも上面には、前記原稿における前記主走査方向に沿う辺縁が当接する枠体を有し、前記第１透過部材の原稿載置可能領域のうち、前記主走査方向と副走査方向との一方の交点が前記原稿の角部を合わせるための前記原稿合わせ位置に設定され、前記枠体における下面のうち、前記原稿合わせ位置から主走査方向に最も離間した位置に、前記第１基準部材が配置されているものである。
【００２５】
従って、原稿非載置領域内にのみ第１基準部材を配置する場合に比べて、第１基準部材の配置面積を広くすることができる。その結果、原稿載置ケースひいては画像読取装置をコンパクトにできるものでありながら、原稿読取手段による前記主走査方向及び副走査方向の読取基準位置の判読精度を向上させることができる。
【００２６】
請求項６に記載の発明によれば、前記枠体には、前記搬送される原稿を前記自動原稿搬送装置における排紙部側に案内するための掬い上げ案内部が設けられているものである。従って、掬い上げ案内部の介在により両透過部材の一端部の撓み変形が一層少なくなり、読取品質が低下しないという効果を奏するものである。
【図面の簡単な説明】
【００２７】
【図１】本発明の自動原稿搬送装置及び画像読取装置を備えた多機能装置の斜視図である。
【図２】自動原稿搬送装置及び画像読取装置の一部切欠き側断面図である。
【図３】第１実施例の搬送読取部及び固定読取部を示す概略斜視図である。
【図４】（Ａ）は第１実施例の搬送読取部及び固定読取部を示す概略平面図、（Ｂ）は図４（Ａ）の要部を装置内から見た要部拡大下面図である。
【図５】図４（Ａ）のＶ−Ｖ線矢視要部拡大断面図である。
【図６】（Ａ）は第２実施例の搬送読取部及び固定読取部を示す概略平面図、（Ｂ）は図６（Ａ）の要部を装置内から見た要部拡大下面図、（Ｃ）は第２実施例の変形例を示す要部拡大下面図である。
【図７】図６（Ｃ）のVII−VII線矢視要部拡大断面図である。
【図８】第３実施例の平面図である。
【図９】第４実施例の平面図である。
【図１０】画像読取装置の従来例を示す平面図である。
【図１１】（Ａ）は図１０のXB−XB線矢視要部拡大断面図、（Ｂ）は従来例の基準部材の下面図である。
【発明を実施するための形態】
【００２８】
以下、本発明を実施するための形態について図面に基づいて説明する。
【００２９】
本発明の実施形態は、ファクシミリ機能、スキャナ機能、複写機能及びプリンタ機能を備えた多機能装置１における画像読取装置２に適用したものである。
【００３０】
［多機能装置１の基本構造］
図１及び図２に示すように、多機能装置１のハウジング４の上面には、その前寄り部位に、ファクシミリ機能、スキャナ機能、複写機能を実行するためのテンキーや各種作業を指令するためのボタンキー、指令内容表示やエラー表示等を行う液晶パネルなどを備えた操作パネル部５が配置されている。
【００３１】
図１に示すように、多機能装置１におけるハウジング４の前側（図１において手前側）には開口部４ａが開口されており、その開口部４ａにはシートとしての用紙（以下、用紙という）を堆積状態で収容する上面開放状の上下２段の給紙カセット７ａ、７ｂがＸ軸線方向に沿ってそれぞれ挿抜可能に装着されている。その上段の給紙カセット７ａの上面に排紙トレイ７ｃが装着されている。そして、各給紙カセット７ａ、７ｂから選択的に給送された用紙は、ハウジング４内に設けられたインクジェット式などの画像記録部（不図示）に送られて画像記録した後、その用紙が排紙トレイ７ｃに排出される。
【００３２】
［画像読取装置及び自動原稿搬送装置］
操作パネル部５の後方には、スキャナ機能を実行するための画像読取装置２とそれに搭載される自動原稿搬送装置３とが配置されている（図１参照）。図２及び図３に示すように、画像読取装置２における原稿載置ケースとしてのスキャナユニット２ａの上面側には、後に詳述するように、固定読取部における原稿を載置するための第１透過部材３１と、搬送読取部における原稿が摺接するための第２透過部材３２とが掬い上げ案内部材３３を介して隣接して配置されている。両透過部材３１、３２は例えば、透明なガラス板等にて構成されている。
【００３３】
画像読取装置２におけるスキャナユニット２ａはその一側端部（実施形態では、パネルカバー５から離間された後方の一側）でハウジング４に水平に設けられた枢軸（図不示）を中心に上下回動可能に装着されている。
【００３４】
画像読取装置２に対して原稿を搬送する自動原稿搬送装置３（ＡＤＦ( Auto Document Feeder) ともいう）は、スキャナユニット２ａの上方の略全体を覆う上カバー体１０と、上カバー体１０の上面に形成される排紙トレイ部１３と、この排紙トレイ部１３より上側に配置された給紙トレイ部１４とを備えている。給紙トレイ部１４には載置される原稿の後部を支持するための支持体１４ａが折り畳み可能に設けられて、給紙トレイ部１４のカバーの機能う兼用している。なお、図１では、支持体１４ａが給紙トレイ部１４上に折り畳まれた状態を示す。サイズの大きい原稿を給紙トレイ部１４に載置するときには、広げた支持体１４ａの裏面側に原稿の後部が載置されることになる。上カバー体１０の下面には、押圧板１０ａが取付けられている（図２参照）。この押圧板１０ａにて第１透過部材３１上に画像記録面を当接させて載置する固定原稿を押圧するものである。従って、この第１透過部材３１が固定読取部となる。
【００３５】
合成樹脂製の上カバー体１０はその後端（操作パネル部５と反対側）の一対のヒンジ手段１１ａ、１１ｂ（図３参照）を介してスキャナユニット２ａに対して上下方向に移動可能且つ開閉回動回動可能に装着されている。一対のヒンジ手段１１ａ、１１ｂが上下方向に移動可能に構成されている理由は、第１透過部材３１に載置する原稿が書籍等の分厚い原稿を上カバー体１０にて第１透過部材３１の表面と平行状に押えることができるようにするためである。
【００３６】
自動原稿搬送装置３は、給紙トレイ部１４の一側部（Ｙ軸方向の一端部）に位置する読取位置Ｒｅまで原稿を搬送する第１の搬送方向（図２の矢印Ａ）と、読取位置Ｒｅから排紙トレイ部１３まで原稿を搬送する第２の搬送方向（図３の矢印Ｂ）とからなる略Ｕターン形状の反転搬送路体１８が備えられている。
【００３７】
給紙トレイ部１４には、一対の原稿ガイド（不図示）が設けられている。そして、周知の連動機構より、一方の原稿ガイドを手で動かすと、他方の原稿ガイドが同時にＸ軸方向に移動して原稿のＸ軸方向の幅寸法に応じて広狭調節可能となるように構成されている。
【００３８】
自動原稿搬送装置３には、給紙トレイ部１４に堆積状態にて載置された複数枚の原稿から１枚の原稿を分離して第１の搬送方向（読取位置Ｒｅに近づく方向）に搬送するための分離部が設けられている。分離部は分離ローラ１５と分離パッド１６とが配置されている。
【００３９】
分離部の下流側であって反転搬送路体１８の上端部には、第１ピンチローラ１７と第１駆動ローラ１９からなる送り込みローラ部が配置されている。読取位置Ｒｅより上流側で反転搬送路体１８の下端部には、第２駆動ローラ２０と第２ピンチローラ２１とが配置されている。さらに、読取位置Ｒｅより下流側で上向き傾斜の排出路体２２の上端（下流側端部）には、第３駆動ローラ２３と第３ピンチローラ２４よりなる排出ローラ部が配置されている。１つのＡＤＦモータ（不図示）からの回転動力は、上記吸入ローラ１５、分離ローラ１６、第１〜第３駆動ローラ２１〜２３に、図不示のギヤ機構を介して伝達される。これらの部品は、自動原稿搬送装置３の左端部の上側を覆う蓋カバー体１９の下方に配置されている。
【００４０】
［画像読取手段の構成］
原稿の画像記録面を読取るためのライン型の原稿読取手段８は、図３及び図４のＹ軸方向（副走査方向）に沿って延びる直線状のガイド部材（不図示）に載置されて往復移動可能であり、原稿読取手段８は図１のＸ軸方向（主走査方向）に直線的に長く形成されている。
【００４１】
図２、図３に示すように、固定読取部としての第１透過部材３１の左端部には、第１透過部材３１の上面に接着されたＸ軸方向に長い掬い上げ案内部材３３を挟んで左側の領域が搬送原稿読取部としての第２透過部材３２となるように形成されている。実施例では、第１透過部材３１及び第２透過部材３２は、透明で上下両面が平滑で平行面を有するガラス板にて構成されているが、合成樹脂製の透明材料であっても良い。
【００４２】
自動原稿搬送装置３にて搬送される原稿の画像記録面を下向きにして第２透過部材３２の上面に原稿が摺接し、第２透過部材３２の下面に静止させた原稿読取手段８で原稿の画像を読取る。原稿読取手段８の検出位置の上方が搬送原稿の読取位置Ｒｅ（図２参照）となる。なお、第２透過部材３２の上面に原稿を摺接するための原稿押え３４がばね３４ａにて下向き付勢されて配置されている（図２参照）。
【００４３】
原稿読取手段８は、実施例では、図示しないが、丸軸状のガイド部材に載置されて姿勢が一定に保持されたキャリッジと、この上向き開放状のキャリッジの内部に配置されたケースと、ケース内に固定された画像読取センサ（イメージセンサ）とが備えられている。実施例では、画像読取センサは密着型イメージセンサ：ＣＩＳ（Contact Image Sensor）である。ケースはキャリッジに対して上下動可能且つ回動可能に配置されている。
【００４４】
スキャナユニット２ａ内のうちＹ軸方向の両端部に配置された駆動プーリ及び従動プーリに巻掛けされたタイミングベルトなどのベルトにキャリッジが連結され（不図示）、このベルトを駆動モータにて回転させることにより、キャリッジひいては原稿読取手段８が副走査方向に沿って往復移動するように構成されている。
【００４５】
［第１透過部材における原稿の位置合わせ構造］
次に、第１透過部材３１上に静止させる原稿の位置あわせのための構成について説明する。図３及び図４に示す第１実施例では、スキャナユニット２ａの上面板２ａ１に開口する平面視で矩形状の開口部３７を塞ぐように、その開口部３７の右側から順に第１透過部材３１と掬い上げ案内部材３３と第２透過部材３２とを互いに隣接させて並べる。開口部３７のうち副走査方向に沿う平行な２つの横辺にて第１透過部材３１、掬い上げ案内部材３３及び第２透過部材３２における主走査方向の両端部が嵌め込まれて支持されている。そして、開口部３７から露出する第１透過部材３１の平面視矩形状の表面全体が、原稿載置可能領域となる。第１透過部材３１の平面視の原稿載置可能領域のサイズは、画像読取装置の規模に応じて、読み取るための最大サイズの原稿に合わせて設定されている。実施例では、最大サイズの原稿は２種類であり、その１つはＡ３サイズ（主走査方向の寸法２９７ｍｍ×副走査方向の寸法４２０ｍｍ）であり、他の１つはレジャー(LEDGER)サイズ( ＝タブロイド版(tabloid size)ともいう、主走査方向の寸法２７９．４ｍｍ( 11インチ) ×副走査方向の寸法４３１．８ｍｍ( 17インチ) ）である。
【００４６】
［第１実施例］
原稿載置可能領域に隣接し、且つ上記１つの横辺と、掬い上げ案内部材３３の延びる方向に沿って隣接する縦辺とには、載置すべき原稿の直交する辺縁に当接する第１枠体３８と第２枠体３９とが平面視で直交するように配置固定されている。図３及び図４に示す実施例では、ヒンジ手段１１ａ、１１ｂに近い側の横辺に第１枠体３８が配置されている。第２枠体３９は掬い上げ案内部材３３と一体的に形成するか若しくは掬い上げ案内部材３３と隣接して配置されている。そして、第１実施例では、この両枠体３８、３９の交点（開口部３７の隅部）を、原稿載置可能領域に載置した原稿の１つの角部を合わせる原稿合わせ位置（基準点）４０とする。また、上記のサイズよりも小さい各種のサイズ（例えば、Ａ４サイズ、Ａ５サイズ、Ｂ４サイズ、Ｂ５サイズ等）の原稿の寸法が分かるように、枠体３８、３９の表面には、そのサイズ毎の目印が刻印または印刷などの手段にて表記されている。枠体３８はスキャナユニット２ａの上面板２ａ１と一体的に形成しても良い。      
【００４７】
第１実施例では、図３及び図４に示すように、上記基準点４０にＡ３サイズの原稿Ｇ１及びレジャーサイズの原稿Ｇ２がその１つの角部を合わせた状態で第１透過部材３１上に載置されたとき、その両方の原稿Ｇ１、Ｇ２の載置領域の外側である原稿非載置領域４２のうち、基準点４０に対して対角の隅位置に第１基準部材４３が配置されている。なお、Ａ３サイズの原稿Ｇ１の互いに直交する辺縁のうち、基準点４０から離間した側の主走査方向に沿う辺縁を符号Ｇ１ａで示し、基準点４０から離間した側の副走査方向に沿う辺縁を符号Ｇ１ｂで示す。同様にして、レジャーサイズの原稿Ｇ２における対応する２つの辺縁の一方を符号Ｇ２ａで示し、他方を符号Ｇ２ｂで示す（図３及び図４参照）。
【００４８】
従って、具体的には、平面視矩形状の第１透過部材３１の上面のうち、上記基準点４０に対して対角の隅位置に第１基準部材４３が配置されている。その隅位置は、辺縁Ｇ１ａ及び辺縁Ｇ２ａよりも外周であって、辺縁Ｇ１ｂ及び辺縁Ｇ２ｂよりも外周で、且つ開口部４７の内側に位置することになる。
【００４９】
第１基準部材４３は上記各種サイズの原稿の主走査方向及び副走査方向の読取基準位置を決めるためのものである。具体的には、第１基準部材４３は白色領域４３ａと黒色領域４３ｂとを有し、且つ白色領域４３ａと黒色領域４３ｂとの境界線としての主走査方向に沿う基準線４５と副走査方向に沿う基準線４６とを備えている。第１基準部材４３は第１透過部材３１の上面にて白色領域４３ａ及び黒色領域４３ｂを下向き（画像読取手段８と対面する方向）にして配置され、第１基準部材４３の背面（上面）をカバー体４７にて覆った状態にして第１透過部材３１の上面に対して固定されている（図５参照）。第１基準部材４３は上記のように形成された白黒２色のテープであっても良いし、大きい面積の白色テープに小さい面積の黒色テープを重ねて形成しても良い。これらの固定の方法は、両面接着テープなどを介して行なうことができる。黒色テープの平面視形状をＬ字状とし、そのＬ字の外側の直交する境界線を基準線４５、４６として採用しても良い。また、基準線４５、４６の境界線が判別できるような異なる２つの色彩を有するテープなどにて、第１基準部材４３を構成することができる。
【００５０】
上記の構成により、副走査方向に沿って移動する画像読取手段８が基準線４５を読み取ることにより、主走査方向の読取原点を決定する。同様にして、画像読取手段８が基準線４６を読み取ることにより、副走査方向の読取原点を決定する。これらの読取原点をデータを取得した後、原稿読取動作時の種々のサイズの原稿の載置位置及び原稿の載置の有無を判別することができる。
【００５１】
また、第２透過部材３２における原稿読取部Ｒｅを挟んで掬い上げ案内部材３３と副走査方向の反対側には、下面全体が白色のテープなどからなる第２基準部材５０が配置される。具体的には、第２透過部材３２の上面とスキャナユニット２ａの上面板２ａ１の下面とに挟まれた個所に両面接着テープなどを介して固定される（図５参照）。
【００５２】
第２基準部材５０は、所謂シェーディング補正をするためのものである。画像読取手段８のイメージセンサでは、光源の光量のばらつき配光ムラや、受光素子の感度ムラがあるので、この白色の第２基準部材５０に対して光源の光量調整を行なった後に、この第２基準部材５０の表面を画像読取手段８で読み取って白レベルデータを得る。そのため、第２基準部材５０は画像読取手段８のイメージセンサにおける主走査方向の長さより若干長く形成されている。なお、画像読取手段８の通常の待機位置（原点位置）は第２基準部材５０の下方とする。
【００５３】
上述の第１実施例のように、第１基準部材４３を、(1).第１透過部材３１の原稿載置可能領域（開口部内）内であって、(2).複数種類の最大サイズの原稿Ｇ１、Ｇ２の載置領域の外側である原稿非載置領域４２のうち、(3).各原稿の１つの角部を位置合わせする基準点４０に対して対角の隅位置に配置すると、
上記(1).により、原稿読取手段８の副走査方向の移動範囲を第１透過部材３１の原稿載置可能領域内にとどまらせることができる。そのため、原稿載置可能領域の外側まで移動させる場合よりも、スキャナユニット２ａの大きさを小さくすることができて、装置のコンパクト化を達成させ、且つ第１基準部材４３の読取作業も迅速にできる。
【００５４】
上記(2).により、複数種類の最大サイズの原稿Ｇ１、Ｇ２を第１透過部材３１の原稿載置可能領域載置した状態で、原稿非載置領域４２に位置する第１基準部材４３の読取作業が可能となる。
【００５５】
上記(3).により、基準点４０に対して対角の隅位置の原稿非載置領域４２の面積は実質的に大きいので、第１基準部材４３の形状及び面積を大きくすることができる。その結果、第１基準部材４３における白色領域４３ａと黒色領域４３ｂとの境界線としての主走査方向に沿う基準線４５及び副走査方向に沿う基準線４６を長く形成できるから、原稿読取の基準位置の読取誤差が小さくなる。換言すると、原稿読取精度が向上する。
［第２実施例］
図６（Ａ）及び図６（Ｂ）は、各種サイズの原稿の主走査方向及び副走査方向の読取基準位置を決めるための第１基準部材５２の配置位置の第２実施例を示す。この実施例では、第１透過部材３１と第２透過部材３２とを有している場合であって、複数種類の最大サイズの原稿Ｇ１、Ｇ２の１つの角部を位置合わせするための基準点５１は、第１透過部材３１の原稿載置可能領域（開口部内）内であって、第２透過部材３２から最も離間した側の１つの角部とするように設定されている。そして、基準点５１にＡ３サイズの原稿Ｇ１及びレジャーサイズの原稿Ｇ２がその１つの角部を合わせた状態で第１透過部材３１上に載置されたとき、その両方の原稿Ｇ１、Ｇ２の載置領域の外側である原稿非載置領域４２のうち、基準点５１に対して対角の隅位置に第１基準部材５２が配置されている。具体的には、主走査方向に延びる掬い上げ案内部材３３に近い側に配置されている。この場合、原稿非載置領域４２のうち主走査方向に延びる部位も、掬い上げ案内部材３３に隣接した部位となる。第２実施例では、原稿サイズの目印及び原稿の辺縁に当接させる枠体は基準点５１を挟むスキャナユニット２ａの上面板２ａ１に設けることが好ましい。
【００５６】
第２実施例における第１基準部材５２は第１実施例と同じように形成されている。即ち、第１基準部材５２は、白色領域５２ａと黒色領域５２ｂとを有し、且つ白色領域５２ａと黒色領域５２ｂとの境界線としての主走査方向に沿う基準線５３と副走査方向に沿う基準線５４とを備えている。第１基準部材５２は第１透過部材３１の上面にて白色領域５２ａ及び黒色領域５２ｂを下向き（画像読取手段８と対面する方向）にして配置され、第１基準部材５２の背面（上面）をカバー体５５にて覆った状態にして第１透過部材３１の上面に対して固定されている（図６（Ｂ）参照）。第１基準部材５２は上記のように形成された白黒２色のテープであっても良いし、大きい面積の白色テープに小さい面積の黒色テープを重ねて形成しても良い。これらの固定の方法は、両面接着テープなどを介して行なうことができる。黒色テープの平面視形状をＬ字状とし、そのＬ字の外側の直交する境界線を基準線５３、５４として採用して良い。
【００５７】
第２実施例のように第１基準部材５２を配置すれば、第１実施例と同様の効果を有することに加えて、第１基準部材５２が第２透過部材３２に近い位置、ひいては原稿読取手段８の待機位置に近い位置にあるので、第１基準部材５２の読取作業も迅速にできる。
【００５８】
図６（Ｃ）は第２実施例の変形例であって、掬い上げ案内部材３３の一部にカバー体５５ａが一体的に形成されており、第１基準部材５２がカバー体５５ａと掬い上げ案内部材３３の一部との下面にわたって配置されている。このように構成すれば、第１基準部材５２の配置面積は、第１透過部材３１の原稿載置可能領域内にのみ第１基準部材５２を配置する場合に比べて、大きくすることができる。
【００５９】
図８は、各種サイズの原稿の主走査方向及び副走査方向の読取基準位置を決めるための第１基準部材５６の配置位置の第３実施例を示す。この実施例では、第１透過部材３１と第２透過部材３２とを有している場合である。複数種類の最大サイズの原稿Ｇ１、Ｇ２の主走査方向の辺縁の中央位置を位置合わせするための基準点５７は、第１透過部材３１の原稿載置可能領域（開口部内）内であって、主走査方向の寸法の半分（中央）の位置とする。この場合、各種サイズの原稿の主走査方向の辺縁の中央位置を位置合わせするため、通称センター合わせと言われる。
【００６０】
この基準点５７に、Ａ３サイズの原稿Ｇ１及びレジャーサイズの原稿Ｇ２の主走査方向の辺縁の中央位置を位置合わせすると、その両方の原稿Ｇ１、Ｇ２の載置領域の外側である原稿非載置領域５８は、基準点５７から主走査方向に最も離間し、且つ開口部３７の２つの横辺に沿ってそれぞれ副走査方向に延びる帯状の部位と、開口部３７の縦辺に沿って主走査方向に延びる帯状の部位とからなる。原稿非載置領域５８のうち、上記２つの帯状の部位の交叉部（２つの隅位置）に第１基準部材５６が配置される。
【００６１】
より具体的には、第２実施例の変形例と同様に、掬い上げ案内部材３３の一部にカバー体５５ａが一体的に形成されており、第１基準部材５６がカバー体５５ａと掬い上げ案内部材３３の一部との下面にわたって配置されている（図６（Ｃ）参照）。このように構成すれば、第１基準部材５６の配置面積は、第１透過部材３１の原稿非載置領域内にのみ第１基準部材５６を配置する場合に比べて、大きくすることができる。第１基準部材５６を掬い上げ案内部材３３側に配置すれば、原稿読取手段８の待機位置に近い位置にあるので、第１基準部材５６の読取作業も迅速にできる。
【００６２】
また、第１透過部材３１の原稿非載置領域内にのみ第１基準部材５６を配置する場合であっても、第１基準部材５６を２箇所に配置することになるので、基準位置の読取精度が向上する。
【００６３】
図９は、各種サイズの原稿の主走査方向及び副走査方向の読取基準位置を決めるための第１基準部材５９の配置位置の第４実施例を示す。この実施例では、第１透過部材３１のみであり、ＡＤＦは備えていない。複数種類の最大サイズの原稿Ｇ１、Ｇ２の１つの角部を位置合わせするための基準点６０は、第１透過部材３１の原稿載置可能領域（開口部内）内であって、スキャナユニット２ａの上面板２ａ１に開口する平面視で矩形状の開口部３７のうち副走査方向に沿う一方の横辺と一方の縦辺との交点（隅部）に設定されている。
【００６４】
第１基準部材５９は、上述の第１実施例と同様に、第１透過部材３１の原稿載置可能領域（開口部内）内であって、複数種類の最大サイズの原稿Ｇ１、Ｇ２の載置領域の外側である原稿非載置領域４２のうち、各原稿の１つの角部を位置合わせする基準点６０に対して対角の最も離間した隅位置に配置されている。
【００６５】
具体的には、その隅位置は、複数種類の最大サイズの原稿Ｇ１、Ｇ２の辺縁Ｇ１ａ及び辺縁Ｇ２ａよりも外周であって、辺縁Ｇ１ｂ及び辺縁Ｇ２ｂよりも外周で、且つ開口部４７の内側に位置することになる。
【００６６】
第１基準部材５９には、図示しないが、第１実施例〜第３実施例と同様に、白色領域と黒色領域とを有し、且つ白色領域と黒色領域との境界線としての主走査方向に沿う基準線と副走査方向に沿う基準線とを備えている。また、第１基準部材５９は第１透過部材３１の上面にて白色領域と黒色領域とが下面となるように配置され、第１基準部材５９の上面をカバー体にて覆っている。従って、第１実施例と同様の効果を奏する。
【００６７】
第４実施例の変形例としては、図示しないが、複数種類の最大サイズの原稿Ｇ１、Ｇ２の主走査方向の辺縁の中央位置を位置合わせするための基準点は、第１透過部材３１の原稿載置可能領域（開口部内）内であって、主走査方向の寸法の半分（中央）の位置とする。そして、第３実施例と同様な個所の原稿非載置領域のうち、２つの帯状の部位の交叉部（２つの隅位置）に第１基準部材が配置されるというものである。この実施例の効果は、第３実施例と同様であるので詳細な説明は省略する。
【００６８】
第２実施例〜第４実施例及びこれらの変形例においても、第１実施例と同じ構成については同じ符合を付している。なお、第１透過部材３１の隅部を基準点とする場合、開口部３７の四隅のいずれであっても良い。
【００６９】
以上の各実施例において、第２基準部材５０を掬い上げ案内部材３３の下面と第１透過部材３１の上面との間に挟むようにして固定しても良い。
【００７０】
請求項でいう予め設定された複数のサイズの原稿とは、複数種類の最大サイズの原稿に相当し、所定個所とは、上述したように、原稿における１つの角部の場合と、主走査方向に沿った原稿の辺縁のうち、主走査方向の半分（中央）位置の場合とをいう。掬い上げ案内部材は請求項にいう掬い上げ案内部に相当する。また、スキャナユニット２ａは請求項にいう原稿載置ケースであり、原稿非載置領域とは、上記予め設定された複数のサイズの原稿が、その各所定個所を第１透過部材３１における予め定められた原稿合わせ位置に対して合わせた状態で、第１透過部材３１の原稿載置可能領域に載置されたとき、その原稿載置可能領域のうち当該原稿にて覆われることのない領域をいう。
【符号の説明】
【００７１】
２      画像読取装置
２ａ    スキャナユニット
３      自動原稿搬送装置
８      読取手段
３１    第１透過部材
３２    第２透過部材
３３    掬い上げ案内部材
３４    原稿押え
３８、３９    枠体
４０、５１、６０    基準点
４２、５８    原稿非載置領域
４３、５２、５６、５９    第１基準部材
４３ａ、５２ａ  白色領域
４３ｂ、５２ｂ  黒色領域
４５、４６    基準線
５０    第２基準部材
【図１】
2010263318.tif 000003
【図２】
2010263318.tif 000004
【図３】
2010263318.tif 000005
【図４】
2010263318.tif 000006
【図５】
2010263318.tif 000007
【図６】
2010263318.tif 000008
【図７】
2010263318.tif 000009
【図８】
2010263318.tif 000010
【図９】
2010263318.tif 000011
【図１０】
2010263318.tif 000012
【図１１】
2010263318.tif 000013